(57)【要約】【課題】ＲＴＴを測定し、前記測定されたＲＴＴによって制御タイマー値を設定することで、データブロック伝送を一層効率的に制御できる各データブロックの伝送を制御するための方法及び装置を提供する。【解決手段】受信装置に往復時間測定要請を伝送する段階と；前記往復時間測定要請に応答して、前記受信装置から往復時間測定応答を受信する段階と；前記往復時間測定要請の伝送時間及び前記往復時間測定応答の受信時間に基づいて往復時間を決定する段階と；を含み、前記往復時間測定要請は第１識別子を含み、前記往復時間測定応答は第２識別子を含み、前記往復時間は、前記往復時間測定要請及び往復時間測定応答を処理するための処理遅延を含むことを特徴とするデータブロック伝送制御方法を構成する。【選択図】図１０
2008536381.tif 000002
【特許請求の範囲】
【請求項１】
無線通信システムでデータブロック伝送を制御する方法において、
受信装置に往復時間測定要請を伝送する段階と；
前記往復時間測定要請に応答して、前記受信装置から往復時間測定応答を受信する段階と；
前記往復時間測定要請の伝送時間及び前記往復時間測定応答の受信時間に基づいて往復時間を決定する段階と；を含み、
前記往復時間測定要請は第１識別子を含み、前記往復時間測定応答は第２識別子を含み、前記往復時間は、前記往復時間測定要請及び往復時間測定応答を処理するための処理遅延を含むことを特徴とするデータブロック伝送制御方法。
【請求項２】
前記往復時間によってデータブロック再伝送禁止区間及びデータブロック再伝送区間のうち少なくとも一つ以上を決定する段階をさらに含み、
前記データブロック再伝送禁止区間は、データブロックを再伝送するためのデータブロック再伝送要請の前記伝送を禁止する区間で、
前記データブロック再伝送区間は、データブロックを再伝送するためのデータブロック再伝送要請の前記伝送を開始する区間であることを特徴とする請求項１に記載のデータブロック伝送制御方法。
【請求項３】
連続的なデータブロック再伝送要請の間の前記時間が少なくとも前記往復時間以上になるように、データブロックの受信が確認されるときまで周期的にデータブロック再伝送要請を伝送する段階をさらに含むことを特徴とする請求項１に記載のデータブロック伝送制御方法。
【請求項４】
前記データブロックは、確認モード無線リンク制御プロトコルデータユニットを含むことを特徴とする請求項１に記載のデータブロック伝送制御方法。
【請求項５】
前記第１識別子は、前記第２識別子と同一であることを特徴とする請求項１に記載のデータブロック伝送制御方法。
【請求項６】
前記第１識別子及び前記第２識別子は、シーケンス番号であることを特徴とする請求項１に記載のデータブロック伝送制御方法。
【請求項７】
前記第１識別子が前記第２識別子と同一であるときのみに前記往復時間を決定する段階をさらに含むことを特徴とする請求項１に記載のデータブロック伝送制御方法。
【請求項８】
前記往復時間によって往復時間伝送禁止区間及び往復時間伝送区間のうち少なくとも一つ以上を決定する段階をさらに含み、
前記往復時間伝送禁止区間は、次回の往復時間測定要請の伝送を禁止する区間で、
前記往復時間伝送区間は、次回の往復時間測定要請の伝送を開始する区間であることを特徴とする請求項１に記載のデータブロック伝送制御方法。
【請求項９】
前記往復時間測定要請の前記伝送時間は、システムフレーム番号及び連結フレーム番号のうち少なくとも一つ以上を含むことを特徴とする請求項１に記載のデータブロック伝送制御方法。
【請求項１０】
状態ＰＤＵ及びピギーバックされた状態ＰＤＵのうち一つに前記往復時間測定要請を含む段階をさらに含み、
前記往復時間測定応答は、状態ＰＤＵ及びピギーバックされた状態ＰＤＵのうち一つに含まれることを特徴とする請求項１に記載のデータブロック伝送制御方法。
【請求項１１】
前記無線通信システムは、前記受信装置からのデータ受信確認を支援することを特徴とする請求項１に記載のデータブロック伝送制御方法。
【請求項１２】
無線通信システムでデータブロック伝送を制御する方法において、
受信装置にデータブロックを伝送する段階と；
前記データブロックの受信が前記受信装置によって確認されない場合、前記受信装置に前記データブロックを再伝送する段階と；を含み、
前記データブロックの再伝送は、前記受信装置に第１識別子を含む往復時間測定要請を伝送し、前記受信装置から第２識別子を含む往復時間測定応答を受信し、前記往復時間測定要請及び往復時間測定応答の処理における処理遅延を考慮して、前記往復時間測定要請の伝送時間と前記往復時間測定応答の受信時間との間の差を決定することで周期的に更新される往復時間にしたがうことを特徴とするデータブロック伝送制御方法。
【請求項１３】
前記データブロックが受信されていないことを指示する状態語を伝送する前記受信装置をさらに含み、前記往復時間の更新は、前記状態語の伝送後に予め決定された時間区間内に何らの応答も受信されない場合、前記受信装置によって開始されることを特徴とする請求項１２に記載のデータブロック伝送制御方法。
【請求項１４】
前記データブロックが受信されていないことを指示する状態語を伝送する前記受信装置をさらに含み、前記往復時間の更新は、予め決定された回数を超える前記状態語の再伝送回数後に何らの応答も受信されない場合、前記受信装置によって開始されることを特徴とする請求項１２に記載のデータブロック伝送制御方法。
【請求項１５】
前記データブロックが受信されていないことを指示する状態語を伝送する前記受信装置をさらに含み、前記データブロックが前記状態語の伝送後に受信されると、前記受信装置によって前記往復時間の更新が開始され、前記データブロックは、予め決定された往復時間より短い時間区間内に受信され、前記時間区間は、前記データブロックの以前伝送と前記データブロックの次の再伝送との間の時間を示すことを特徴とする請求項１２に記載のデータブロック伝送制御方法。
【請求項１６】
前記往復時間によってデータブロック再伝送禁止区間及びデータブロック再伝送区間のうち少なくとも一つ以上を更新する段階をさらに含み、前記データブロック再伝送禁止区間は、前記データブロックを再伝送するためのデータブロック再伝送要請の前記伝送を禁止する区間で、前記データブロック再伝送区間は、前記データブロックを再伝送するためのデータブロック再伝送要請の前記伝送を開始する区間であることを特徴とする請求項１２に記載のデータブロック伝送制御方法。
【請求項１７】
前記データブロックは、確認モード無線リンク制御プロトコルデータユニットを含むことを特徴とする請求項１２に記載のデータブロック伝送制御方法。
【請求項１８】
前記第１識別子及び第２識別子は、シーケンス番号であることを特徴とする請求項１２に記載のデータブロック伝送制御方法。
【請求項１９】
前記往復時間は、前記第１識別子が前記第２識別子と同一であるときのみに更新されることを特徴とする請求項１２に記載のデータブロック伝送制御方法。
【請求項２０】
前記往復時間は、往復時間伝送禁止区間及び往復時間伝送区間のうち少なくとも一つ以上によって周期的に更新され、前記往復時間伝送禁止区間及び往復時間伝送区間は、予め決定された往復時間に基づいたもので、前記往復時間伝送禁止区間は、次回の往復時間更新を禁止するためのもので、前記往復時間伝送区間は、次回の往復時間更新を開始するためのものであることを特徴とする請求項１２に記載のデータブロック伝送制御方法。
【請求項２１】
無線通信システムでデータブロック伝送を制御する通信装置において、
受信装置に往復時間測定要請を含むＲＦ信号を伝送するように調節される伝送ユニットと；
前記往復時間測定要請に応答して、前記受信装置からの往復時間測定応答を含むＲＦ信号を受信するように調節される受信ユニットと；
前記往復時間測定要請の伝送時間及び前記往復時間測定応答の受信時間に基づいた往復時間を決定するように調節される処理ユニットと；を含み、
前記往復時間測定要請は第１識別子を含み、前記往復時間測定応答は第２識別子を含み、前記往復時間は、前記往復時間測定要請及び往復時間測定応答を処理するための処理遅延を含むことを特徴とするデータブロック伝送制御装置。
【請求項２２】
前記処理ユニットは、前記往復時間によってデータブロック再伝送禁止区間及びデータブロック再伝送区間のうち少なくとも一つ以上を決定するようにさらに調節されることを特徴とし、
前記データブロック再伝送禁止区間は、データブロックを再伝送するためのデータブロック再伝送要請の前記伝送を禁止するための区間で、
前記データブロック再伝送区間は、データブロックを再伝送するためのデータブロック再伝送要請の前記伝送を開始するための区間であることを特徴とする請求項２１に記載のデータブロック伝送制御装置。
【請求項２３】
前記処理ユニットは、連続的なデータブロック再伝送要請の間の前記時間が少なくとも前記往復時間以上になるように、データブロックの受信が確認されるときまでデータブロック再伝送要請を周期的に伝送するために、前記伝送ユニットを制御するようにさらに調節されることを特徴とする請求項２１に記載のデータブロック伝送制御装置。
【請求項２４】
前記処理ユニットは、シーケンス番号として前記第１識別子を設定するようにさらに調節されることを特徴とする請求項２１に記載のデータブロック伝送制御装置。
【請求項２５】
前記処理ユニットは、前記第１識別子が前記第２識別子と同一であるときのみに前記往復時間を決定するようにさらに調節されることを特徴とする請求項２１に記載のデータブロック伝送制御装置。
【請求項２６】
前記処理ユニットは、前記往復時間によって往復時間測定禁止区間及び往復時間測定伝送区間のうち少なくとも一つ以上を決定し、前記往復時間測定禁止区間によって次回の往復時間測定要請が禁止され、前記往復時間測定伝送区間によって次回の往復時間測定要請が開始されるように、前記伝送ユニットを制御するようにさらに調節されることを特徴とする請求項２１に記載のデータブロック伝送制御装置。
【請求項２７】
前記処理ユニットは、前記往復時間測定要請内で前記往復時間測定要請の前記伝送時間を含むようにさらに調節されることを特徴とする請求項２１に記載のデータブロック伝送制御装置。
【請求項２８】
前記処理ユニットは、前記往復時間測定応答内の伝送時間と前記往復時間測定応答の前記受信時間との間の差を計算することで、前記往復時間を決定するようにさらに調節されることを特徴とする請求項２１に記載のデータブロック伝送制御装置。
【請求項２９】
前記処理ユニットは、状態ＰＤＵ及びピギーバックされた状態ＰＤＵのうち一つに前記往復時間測定要請を含み、状態ＰＤＵ及びピギーバックされた状態ＰＤＵのうち一つから前記往復時間測定応答を抽出するようにさらに調節されることを特徴とする請求項２１に記載のデータブロック伝送制御装置。
【請求項３０】
前記処理ユニットは、複数の往復時間測定要請の前記伝送時間及び複数の往復時間測定応答の前記受信時間に基づいて決定された複数の往復時間の平均を計算することで、前記往復時間を決定するようにさらに調節されることを特徴とする請求項２１に記載のデータブロック伝送制御装置。
【請求項３１】
前記処理ユニットは、複数の往復時間測定要請を連続的に伝送するために、前記伝送ユニットを制御するようにさらに調節され、前記複数の往復時間測定要請は、それぞれ同一の第１識別子を有することを特徴とする請求項２１に記載のデータブロック伝送制御装置。
【請求項３２】
前記処理ユニットは、連続的に受信された複数の往復時間測定応答を処理するようにさらに調節され、前記複数の往復時間測定応答は、それぞれ同一の第２識別子を有することを特徴とする請求項２１に記載のデータブロック伝送制御装置。
【請求項３３】
前記無線通信システムは、前記受信装置からのデータ受信確認を支援することを特徴とする請求項２１に記載のデータブロック伝送制御装置。
【請求項３４】
無線通信システムでデータブロック伝送を制御する方法において、
伝送装置から往復時間測定要請を受信する段階と；
前記往復時間測定要請に応答して受信装置に往復時間測定応答を伝送する段階と；を含み、
前記往復時間測定要請は第１識別子を含み、前記往復時間測定応答は第２識別子を含むことを特徴とするデータブロック伝送制御方法。
【請求項３５】
前記データブロックは、確認モード無線リンク制御プロトコルデータユニットを含むことを特徴とする請求項３４に記載のデータブロック伝送制御方法。
【請求項３６】
前記第１識別子は、前記第２識別子と同一であることを特徴とする請求項３４に記載のデータブロック伝送制御方法。
【請求項３７】
前記第１識別子及び第２識別子は、シーケンス番号であることを特徴とする請求項３４に記載のデータブロック伝送制御方法。
【請求項３８】
前記往復時間測定要請は、前記往復時間測定要請の前記伝送時間をさらに含むことを特徴とする請求項３４に記載のデータブロック伝送制御方法。
【請求項３９】
前記往復時間測定要請の前記伝送時間は、システムフレーム番号及び連結フレーム番号のうち少なくとも一つ以上を含むことを特徴とする請求項３８に記載のデータブロック伝送制御方法。
【請求項４０】
前記往復時間測定応答内に前記往復時間測定応答の前記伝送時間を含む段階をさらに含むことを特徴とする請求項３４に記載のデータブロック伝送制御方法。
【請求項４１】
前記往復時間測定要請は、状態ＰＤＵ及びピギーバックされた状態ＰＤＵのうち一つに含まれ、状態ＰＤＵ及びピギーバックされた状態ＰＤＵのうち一つに前記往復時間測定応答を含む段階をさらに含むことを特徴とする請求項３４に記載のデータブロック伝送制御方法。
【請求項４２】
前記往復時間測定要請を受信する段階は、複数の往復時間測定要請を連続的に受信する段階を含み、前記複数の往復時間測定要請は、それぞれ同一の第１識別子を有することを特徴とする請求項３４に記載のデータブロック伝送制御方法。
【請求項４３】
前記往復時間測定応答を伝送する段階は、複数の往復時間測定応答を連続的に伝送する段階を含み、前記複数の往復時間測定応答は、それぞれ同一の第２識別子を有することを特徴とする請求項３４に記載のデータブロック伝送制御方法。
【請求項４４】
前記無線通信システムは、前記受信装置からのデータ受信確認を支援することを特徴とする請求項３４に記載のデータブロック伝送制御方法。
【請求項４５】
無線通信システムでデータブロック伝送を制御する通信装置において、
伝送装置から往復時間測定要請を含むＲＦ信号を受信するように調節される受信ユニットと；
前記往復時間測定要請に応答して、前記伝送装置に往復時間測定応答を含むＲＦ信号を伝送するように調節される伝送ユニットと；を含み、
前記往復時間測定要請は第１識別子を含み、前記往復時間測定応答は第２識別子を含むことを特徴とするデータブロック伝送制御通信装置。
【請求項４６】
前記処理ユニットは、連続的なデータブロック再伝送要請の間の前記時間が少なくとも決定された往復時間以上になるように、データブロックの受信が確認されるときまでデータブロック再伝送要請を周期的に伝送するために、前記伝送ユニットを制御するようにさらに調節されることを特徴とする請求項４５に記載のデータブロック伝送制御通信装置。
【請求項４７】
前記処理ユニットは、シーケンス番号として前記第２識別子を設定するようにさらに調節されることを特徴とする請求項４５に記載のデータブロック伝送制御通信装置。
【請求項４８】
前記処理ユニットは、前記往復時間測定応答内で前記往復時間測定応答の前記伝送時間を含むようにさらに調節されることを特徴とする請求項４５に記載のデータブロック伝送制御通信装置。
【請求項４９】
前記処理ユニットは、状態ＰＤＵ及びピギーバックされた状態ＰＤＵのうち一つから前記往復時間測定要請を抽出し、状態ＰＤＵ及びピギーバックされた状態ＰＤＵのうち一つに前記往復時間測定応答を含むようにさらに調節されることを特徴とする請求項４５に記載のデータブロック伝送制御通信装置。
【請求項５０】
前記処理ユニットは、複数の往復時間測定応答を連続的に伝送するために、前記伝送ユニットを制御するようにさらに調節され、前記複数の往復時間測定応答は、それぞれ同一の第２識別子を有することを特徴とする請求項４５に記載のデータブロック伝送制御通信装置。
【請求項５１】
前記処理ユニットは、連続的に受信された複数の往復時間測定要請を処理するようにさらに調節され、前記複数の往復時間測定要請は、それぞれ同一の第１識別子を有することを特徴とする請求項４５に記載のデータブロック伝送制御通信装置。
【請求項５２】
前記無線通信システムは、前記受信装置からのデータ受信確認を支援することを特徴とする請求項４５に記載のデータブロック伝送制御通信装置。
【発明の詳細な説明】
【技術分野】
【０００１】
本発明は、データブロックの伝送を制御するための方法及び装置に関するものである。本発明は、広範囲な適用に適しており、具体的には、往復時間（ｒｏｕｎｄ  ｔｒｉｐ  ｔｉｍｅ；ＲＴＴ）を測定し、前記測定されたＲＴＴを用いてタイマーを設定することで、データブロック伝送を一層効率的に制御するのに適している。
【背景技術】
【０００２】
図１は、汎用移動通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ；ＵＭＴＳ）のネットワーク構造を示す図である。図１を参照すると、汎用移動通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ；以下、ＵＭＴＳと称する。）は、使用者装置１（以下、ＵＥと称する。）、ＵＭＴＳ地上無線接続ネットワーク２（ＵＭＴＳ  ｔｅｒｒｅｓｔｒｉａｌ  ｒａｄｉｏ  ａｃｃｅｓｓ  ｎｅｔｗｏｒｋ；以下、ＵＴＲＡＮと称する。）及び核心網３（ｃｏｒｅ  ｎｅｔｗｏｒｋ；以下、ＣＮと称する。）を含む。ＵＴＲＡＮ２は、一つ以上の無線ネットワークサブシステム４（ｒａｄｉｏ  ｎｅｔｗｏｒｋ  ｓｕｂ−ｓｙｔｅｍ；以下、ＲＮＳと称する。）を含み、各ＲＮＳは、無線ネットワーク制御器５（ｒａｄｉｏ  ｎｅｔｗｏｒｋ  ｃｏｎｔｒｏｌｌｅｒ；以下、ＲＮＣと称する。）、及び前記ＲＮＣによって管理される一つ以上の基地局６（ｂａｓｅ  ｓｔａｔｉｏｎ；以下、Ｎｏｄｅ  Ｂと称する。）を含む。Ｎｏｄｅ  Ｂ６は、一つ以上のセルを含む。
【０００３】
図２は、ＵＥ１とＵＴＲＡＮ２との間のＵＭＴＳ無線プロトコルの構造図である。図２に示すように、無線インターフェースプロトコルは、水平的には物理階層、データリンク階層及びネットワーク階層を含み、前記無線インターフェースプロトコルは、垂直的にはデータ情報伝送のための使用者平面、及びシグナリング伝送のための制御平面を含む。図２のプロトコル階層は、通信システムで広く知られた開放型システム相互接続（ｏｐｅｎ  ｓｙｓｔｅｍ  ｉｎｔｅｒｃｏｎｎｅｃｔｉｏｎ；ＯＳＩ）標準モデルの下位３個の階層に基づいてＬ１（第１階層）、Ｌ２（第２階層）、及びＬ３（第３階層）に分けられる。前記無線プロトコル階層は、無線領域でのデータ伝送を活性化させるために、ＵＥ１及びＵＴＲＡＮ２の全てに一対として存在する。
【０００４】
第１階層としての物理階層は、物理チャネルを使用して上位階層への情報伝達サービスを提供する。物理階層は、データが媒体接近制御（ｍｅｄｉｕｍ  ａｃｃｅｓｓ  ｃｏｎｔｒｏｌ；ＭＡＣ）階層と物理階層との間で伝達される伝送チャネルを通して、物理階層上の媒体接近制御（ｍｅｄｉｕｍ  ａｃｃｅｓｓ  ｃｏｎｔｒｏｌ；ＭＡＣ）階層に連結される。各伝送チャネルは、チャネルの共有可否によって専用伝送チャネル及び共用伝送チャネルに分類される。データは、異なった物理階層の間で伝送され、より具体的には、伝送側の物理階層と受信側の物理階層との間で各物理チャネルを通して伝送される。
【０００５】
第２階層の媒体接近制御（ＭＡＣ）階層は、論理チャネルを通してＭＡＣ階層上の無線リンク制御（ｒａｄｉｏ  ｌｉｎｋ  ｃｏｎｔｒｏｌ；以下、ＲＬＣと略称する。）階層にサービスを提供する。第２階層のＲＬＣ階層は、信頼できるデータ伝送を支援し、上位階層から送られたＲＬＣサービスデータユニット（ｓｅｒｖｉｃｅ  ｄａｔａ  ｕｎｉｔ；ＳＤＵ）の分割と連接を行う。
【０００６】
ＭＡＣ階層及び物理階層は、伝送チャネルを通してデータを交換する。第２階層（Ｌ２）は、ＭＡＣ階層、無線リンク制御（ＲＬＣ）階層、放送／マルチキャスト制御（ｂｒｏａｄｃａｓｔ／ｍｕｌｔｉｃａｓｔ  ｃｏｎｔｒｏｌ；ＢＭＣ）階層及びパケットデータ集中プロトコル（ｐａｃｋｅｔ  ｄａｔａ  ｃｏｎｖｅｒｇｅｎｃｅ  ｐｒｏｔｏｃｏｌ；ＰＤＣＰ）階層を含む。
【０００７】
ＭＡＣ階層は、論理チャネルと伝送チャネルとの間でのマッピングを制御し、無線資源の割当及び再割当のためのＭＡＣパラメータの割当を提供する。ＭＡＣ階層は、論理チャネルを通して無線リンク制御（ＲＬＣ）階層と呼ばれる上位階層に連結される。
【０００８】
多様な論理チャネルは、伝送される情報のタイプによって提供される。一般的に、制御チャネルは、制御平面の情報を伝送するために使用され、トラフィックチャネルは、使用者平面の情報を伝送するために使用される。
【０００９】
ＭＡＣ階層は、伝送チャネルによって物理階層に連結され、ＭＡＣ−ｂ副階層、ＭＡＣ−ｄ副階層、ＭＡＣ−ｃ／ｓｈ副階層、ＭＡＣ−ｈｓ副階層及びＭＡＣ−ｅ副階層に分けられる。ＭＡＣの分離は、管理される伝送チャネルのタイプにしたがう。
【００１０】
ＭＡＣ−ｂ副階層は、ＢＣＨ（Ｂｒｏａｄｃａｓｔ  Ｃｈａｎｎｅｌ）を管理し、これは、システム情報の放送を制御する伝送チャネルである。ＭＡＣ−ｃ／ｓｈ副階層は、複数の端末によって共有される順方向接続チャネル（ｆｏｒｗａｒｄ  ａｃｃｅｓｓ  ｃｈａｎｎｅｌ；ＦＡＣＨ）またはダウンリンク共有チャネル（ｄｏｗｎｌｉｎｋ  ｓｈａｒｅｄ  ｃｈａｎｎｅｌ；ＤＳＣＨ）などの共用伝送チャネルを管理したり、アップリンクでは、無線接続チャネル（Ｒａｄｉｏ  Ａｃｃｅｓｓ  Ｃｈａｎｎｅｌ；ＲＡＣＨ）を管理する。ＭＡＣ−ｄ副階層は、専用チャネル（ｄｅｄｉｃａｔｅｄ  ｃｈａｎｎｅｌ；ＤＣＨ）を管理し、これは、特定の端末のための専用伝送チャネルである。ＭＡＣ−ｈｓ副階層は、ダウンリンク及びアップリンクで高速データ伝送を支援するために、高速データ伝送のための伝送チャネルＨＳ−ＤＳＣＨ（ｈｉｇｈ  ｓｐｅｅｄ  ｄｏｗｎｌｉｎｋ  ｓｈａｒｅｄ  ｃｈａｎｎｅｌ）を管理する。ＭＡＣ−ｅ副階層は、アップリンクデータ伝送のための伝送チャネルＥ−ＤＣＨ（ｅｎｈａｎｃｅｄ  ｄｅｄｉｃａｔｅｄ  ｃｈａｎｎｅｌ）を管理する。
【００１１】
無線リンク制御（ｒａｄｉｏ  ｌｉｎｋ  ｃｏｎｔｒｏｌ；以下、ＲＬＣと略称する。）階層は、各無線ベアラのサービス品質（ｑｕａｌｉｔｙ  ｏｆ  ｓｅｒｖｉｃｅ；以下、ＱｏＳと略称する。）の保障を支援し、該当するデータの伝送を制御する。ＲＬＣ階層は、ＲＢの固有のＱｏＳを保障するために、各ＲＢに一つの独立的なＲＬＣエンティティを残しておく。３個のＲＬＣモードは、多様なＱｏＳを支援するために提供される。３個のＲＬＣモードは、透明モード（ｔｒａｎｓｐａｒｅｎｔ  ｍｏｄｅ；以下、ＴＭと略称する。）、非確認モード（ｕｎａｃｋｎｏｗｌｅｄｇｅｄ  ｍｏｄｅ；以下、ＵＭと略称する。）、及び確認モード（ａｃｋｎｏｗｌｅｄｇｅｄ  ｍｏｄｅ；以下、ＡＭと略称する。）である。
【００１２】
また、ＲＬＣは、下位階層が無線領域にデータを伝送できるように、データ大きさを調節することを活性化する。調整されたデータ大きさを活性化させるために、ＲＬＣは、上位階層から受信されたデータを分割して連接する。
【００１３】
ＰＤＣＰ階層は、ＲＬＣ階層上に位置し、相対的に小さい帯域幅を有する無線領域で効率的にＩＰｖ４またはＩＰｖ６などのＩＰパケットを使用してデータを伝送することを活性化する。このために、ＰＤＣＰ階層は、無線領域で伝送効率を増加させるために、必須的なデータヘッダー情報を伝送させる機能であるヘッダー圧縮を行う。
【００１４】
ヘッダー圧縮がＰＤＣＰ階層の基本機能であるので、ＰＤＣＰ階層は、パケットサービスドメイン（以下、‘ＰＳ  ｄｏｍａｉｎ’と略称する。）のみで存在する。また、一つのＰＤＣＰエンティティは、効果的なヘッダー圧縮機能を各ＰＳサービスに提供できるように、各ＲＢのために存在する。
【００１５】
ＢＭＣ（放送／マルチキャスト制御）階層は、ＲＬＣ階層の上に位置する。ＢＭＣ階層は、セル放送メッセージをスケジュールし、特定のセル内に位置したＵＥに放送を行う。
【００１６】
第３階層の最も低い部分に位置した無線資源制御（ｒａｄｉｏ  ｒｅｓｏｕｒｃｅ  ｃｏｎｔｒｏｌ；ＲＲＣ）階層は、制御平面内のみで定義され、無線ベアラ（ｒａｄｉｏ  ｂｅａｒｅｒｓ；ＲＢｓ）の設定、再設定及び解除と一緒に、論理チャネル、伝送チャネル及び物理チャネルを制御する。ＲＢは、ＵＥ１とＵＴＲＡＮ２との間でデータ伝送のために第１階層及び第２階層によって提供される論理的経路である。一般的に、ＲＢの構成は、特定のサービスを提供するために必要なプロトコル階層及びチャネルの特徴を定義することを意味し、それらのために個々の特定のパラメータ及び動作方法を設定することである。
【００１７】
ＲＬＣ階層の基本的な機能は、各ＲＢのＱｏＳ及び対応するデータ伝送を保障することである。ＲＢサービスは、第２階層が上位階層に提供するサービスであるので、全体の第２階層はＱｏＳに影響を与える。しかし、ＲＬＣ階層は、ＱｏＳに最も大きな影響を与える。
【００１８】
ＲＬＣ階層は、ＲＢの固有なＱｏＳを保障するために各ＲＢに独立的なＲＬＣエンティティを提供し、３個のモード、具体的にＴＭ、ＵＭ及びＡＭを提供する。前記３個のＲＬＣモードは、支援されるＱｏＳ内で互いに異なるので、それらの詳細な機能のみならず、それらの動作方法も異なる。そのため、ＲＬＣ動作モードが考慮されるべきである。
【００１９】
ＴＭ  ＲＬＣは、ＲＬＣプロトコルデータユニット（以下、ＰＤＵと略称する。）を構成するにおいて、上位階層から伝達されたＲＬＣサービスデータユニット（以下、ＳＤＵと略称する。）に如何なるオーバーヘッドも付けていないモードである。ＲＬＣは、ＳＤＵを透明に伝送するので、ＴＭ  ＲＬＣと呼ばれる。
【００２０】
上記のような透明な特性のために、ＴＭ  ＲＬＣは、使用者及び制御平面内で多様な役割を行う。使用者平面では、ＲＬＣ内でのデータ処理時間が短いので、ＴＭ  ＲＬＣは、回線サービスドメイン（以下、ＣＳ  ｄｏｍａｉｎと略称する。）内で音声またはストリーミングデータなどの実時間回線データ伝送を行う。制御平面では、ＲＬＣは、ＲＬＣ内に如何なるオーバーヘッドもないので、不特定のＵＥからのＲＲＣメッセージのアップリンク伝送またはセル内の全てのＵＥからのＲＲＣメッセージ放送のダウンリンク伝送を制御する。
【００２１】
透明なモードとは異なって、非透明モードは、ＲＬＣ内にオーバーヘッダーが付加されるモードである。非透明モードは、伝送されたデータに対する確認をしない非確認モード（ＵＭ）及び伝送されたデータに対する確認をする確認モード（ＡＭ）に分類される。
【００２２】
シーケンス番号（ｓｅｑｕｅｎｃｅ  ｎｕｍｂｅｒ；以下、ＳＮと略称する。）を含むＰＤＵヘッダーを各ＰＤＵに付着することで、ＵＭ  ＲＬＣによって、受信側は、どのＰＤＵが伝送過程で損失されるかを決定することができる。このような特性によって、ＵＭ  ＲＬＣは、使用者平面では、放送／マルチキャストデータ伝送、ＰＳドメインの音声（ＶｏＩＰなど）及びストリーミングデータなどの実時間パケットデータの伝送を主に行い、制御平面では、セル内で特定のＵＥまたは特定のＵＥグループに伝送された、確認が必要でないＲＲＣメッセージの伝送を主に行う。
【００２３】
ＡＭ  ＲＬＣは、ＵＭ  ＲＬＣの場合と同様に、ＳＮを含むＰＤＵヘッダーを付着することで各ＰＤＵを構成する非透明モードである。しかし、ＡＭ  ＲＬＣは、受信側が伝送側によって伝送された各ＰＤＵを確認するという点でＵＭ  ＲＬＣと異なる。
【００２４】
受信側は、伝送側が受信側によって受信されていないＰＤＵの再伝送を要求できるので、ＡＭ  ＲＬＣでＰＤＵ受信を確認する。再伝送機能は、ＡＭ  ＲＬＣの最も大きな特徴である。
【００２５】
ＡＭ  ＲＬＣの目的は、再伝送を通してエラーのないデータ伝送を保障することである。このような特徴によって、ＡＭ  ＲＬＣは、使用者平面では、ＰＳドメインのＴＣＰ／ＩＰなどの非実時間パケットデータの伝送を主に制御し、確認が必須的な制御平面でのセル内で、特定のＵＥに伝送されるＲＲＣメッセージの伝送を制御する。
【００２６】
ＴＭまたはＵＭ  ＲＬＣは、単方向通信に使用される反面、ＡＭ  ＲＬＣは、ＡＭ  ＲＬＣ内の受信側からのフィードバックによって両方向通信に使用される。両方向通信は、主にポイントツーポイント通信に使用されるので、ＡＭ  ＲＬＣは、専用論理チャネルのみを使用する。したがって、一つのＲＬＣエンティティは、ＴＭまたはＵＭ  ＲＬＣ内では伝送または受信構造を含む反面、ＡＭ  ＲＬＣでは、一つのＲＬＣエンティティ内に伝送側及び受信側が存在する。
【００２７】
ＡＭ  ＲＬＣの複雑性は、再伝送機能による。ＡＭ  ＲＬＣは、伝送／受信バッファのみならず、再伝送管理のための再伝送バッファを含んで多様な機能を行う。多様な機能は、流れ（ｆｌｏｗ）制御のための伝送／受信ウィンドウ、伝送側が受信側の対応するＲＬＣエンティティからの状態情報を要請し、受信側が伝送側の対応するＲＬＣエンティティにそのバッファ状態を報告するための状態報告を要請し、状態情報を伝達するための状態ＰＤＵを要請し、データ伝送効率を増加させるためにデータＰＤＵ内に状態ＰＤＵを挿入することでピギーバッキングを要請するときのポーリング（ｐｏｌｌｉｎｇ）と関連している。
【００２８】
リセットＰＤＵは、ＡＭ  ＲＬＣエンティティが動作中に深刻なエラーを発見すると、相手側のＡＭ  ＲＬＣエンティティの全ての動作及びパラメータのリセットを要請するために要求される。リセットＡＣＫ  ＰＤＵは、前記リセットＰＤＵに対する応答のために要請される。
【００２９】
上記のような機能を支援するために、ＡＭ  ＲＬＣは、多様なプロトコルパラメータ、状態変数及びタイマーを必要とする。状態情報報告でデータ伝送制御のために使用されるＰＤＵ、状態ＰＤＵ及びリセットＰＤＵは、制御ＰＤＵと呼ばれ、使用者データの伝送のために使用されるＰＤＵは、データＰＤＵと呼ばれる。
【００３０】
具体的に、ＡＭ  ＲＬＣによって使用されるＰＤＵは、二つのタイプに分類される。第一のタイプはデータＰＤＵで、第二のタイプは制御ＰＤＵである。制御ＰＤＵは、状態ＰＤＵ、ピギーバックされた状態ＰＤＵ、リセットＰＤＵ及びリセットＡＣＫ  ＰＤＵを含む。
【００３１】
上述したように、制御ＰＤＵは、リセット手順のために使用される。前記リセット手順は、ＡＭ  ＲＬＣ動作中にエラー条件に対する応答として使用される。
【００３２】
例えば、エラー条件は、相互間に使用されたシーケンス番号が互いに異なるか、ＰＤＵまたはＳＤＵ伝送がカウント制限を経過して失敗したときに充足される。前記リセット手順を通して、受信側のＡＭ  ＲＬＣ及び伝送側のＡＭ  ＲＬＣは、環境変数をリセットし、その後に通信が再び可能になる。
【００３３】
伝送側のＡＭ  ＲＬＣなどのＡＭ  ＲＬＣエンティティがリセット手順を初期化することに決定すると、現在使用される伝送方向ハイパーフレーム番号（ｈｙｐｅｒ  ｆｒａｍｅ  ｎｕｍｂｅｒ；以下、ＨＦＮと略称する。）値はリセットＰＤＵ内に含まれ、前記リセットＰＤＵは、受信側のＡＭ  ＲＬＣのような、相手側の対応するＡＭ  ＲＬＣエンティティに伝送される。リセットＰＤＵを受信した受信側のＡＭ  ＲＬＣは、その受信方向のＨＦＮ値を再設定した後、シーケンス番号などの環境変数をリセットする。
【００３４】
その後、受信側のＡＭ  ＲＬＣは、リセットＡＣＫ  ＰＤＵ内にその伝送方向ＨＦＮを含み、その後、伝送側のＡＭ  ＲＬＣにリセットＡＣＫ  ＰＤＵを伝送する。前記リセットＡＣＫ  ＰＤＵを受信すると、伝送側のＡＭ  ＲＬＣは、その受信方向ＨＦＮ値を再設定した後、環境変数をリセットする。
【００３５】
図３は、ＡＭ  ＲＬＣ  ＰＤＵの構造を示す図である。図３に示すように、ＡＭ  ＲＬＣ  ＰＤＵは、ＡＭ  ＲＬＣエンティティが使用者データまたはピギーバックされた状態情報及びポーリングビットを伝送しようとするときに使用される。使用者データ部分は、８ビット整数倍として構成され、ＡＭ  ＲＬＣ  ＰＤＵヘッダーは、２オクテットシーケンス番号で構成される。ＡＭ  ＲＬＣ  ＰＤＵのヘッダー部分は、長さ指示子を含む。
【００３６】
図４は、状態ＰＤＵの構造を示す図である。図４に示すように、状態ＰＤＵは、異なったタイプのＳＵＦＩを含む。状態ＰＤＵの大きさは、多様であるが、前記状態ＰＤＵを伝送する論理チャネルの最も大きなＲＬＣ  ＰＤＵの大きさに限定される。
【００３７】
前記ＳＵＦＩは、受信側で如何なるタイプのＡＭ  ＲＬＣ  ＰＤＵが受信されるか、または、受信側で如何なるタイプのＡＭ  ＲＬＣ  ＰＤＵが受信されないかを確認するために用いられる。前記ＳＵＦＩは、タイプ、長さ及び値を指示する３個の部分で構成される。
【００３８】
図５は、ピギーバックされた状態ＰＤＵの構造を示す図である。図５に示すように、ピギーバックされた状態ＰＤＵの構造は、状態ＰＤＵの構造と類似している反面、予約されたビット（Ｒ２）がＤ／Ｃフィールドに取って代わるという点で異なる。前記ピギーバックされた状態ＰＤＵは、ＡＭ  ＲＬＣ  ＰＤＵ内に充分な空間があれば挿入される。前記ＰＤＵタイプ値は、‘０００’に固定される。
【００３９】
図６は、リセットＡＣＫ  ＰＤＵの構造を示す図である。図６に示すように、リセットＰＤＵは、１ビットシーケンス番号（ＲＳＮ）を含む。リセットＡＣＫ  ＰＤＵは、受信されたリセットＰＤＵ内に含まれた前記ＲＳＮを含むことで、受信されたリセットＰＤＵに対する応答として伝送される。
【００４０】
‘Ｄ／Ｃフィールド’は、該当するＰＤＵが制御ＰＤＵであるか、データＰＤＵであるかを指示する。‘ＰＤＵタイプ’は、制御ＰＤＵのタイプを指示し、具体的には、該当するＰＤＵがリセットＰＤＵであるか、状態ＰＤＵであるかを指示する。‘シーケンス番号’値は、ＡＭ  ＲＬＣ  ＰＤＵのシーケンス番号情報を指示する。
【００４１】
‘ポーリングビット’値は、状態報告のための要請が受信側になされると設定される。‘拡張ビット（Ｅ）’値は、次のオクテットが長さ指示子であるかどうかを指示する。‘予約ビット（Ｒ１）’値は、リセットＰＤＵまたはリセットＡＣＫ  ＰＤＵのために使用され、‘０００’にコーディングされる。‘ヘッダー拡張ビット（ＨＥ）’値は、次のオクテットが長さ指示子であるか、データであるかを指示する。前記‘長さ指示子’値は、境界がＰＤＵのデータ部分内の異なったＳＤＵの間に存在すると、境界の位置を指示する。‘パッド（ＰＡＤ）’部分は、パッディング領域で、ＡＭ  ＲＬＣ  ＰＤＵ内で使用されない。
【００４２】
ＡＭ  ＲＬＣエンティティ内で受信エラーを減少させる方法は、次のように説明される。ＵＭ  ＲＬＣまたはＴＭ  ＲＬＣとは異なって、エラーのないデータ伝送は、ＡＭ  ＲＬＣで重要である。
【００４３】
具体的には、受信側が、伝送側によって伝送されたＡＭ  ＲＬＣ  ＰＤＵを成功的に受信することに失敗すると、伝送側は、成功的に受信されるまで前記ＡＭ  ＲＬＣ  ＰＤＵを継続的に伝送する。受信側は、伝送側に前記ＡＭ  ＲＬＣ  ＰＤＵの受信または失敗を知らせる。前記情報内に含まれたものは、状態ＰＤＵまたはピギーバックされた状態ＰＤＵである。
【００４４】
図７は、第一の例題による既存のＡＭ  ＲＬＣ  ＰＤＵ伝送方法を示すフローチャートである。図７に示すように、伝送側ＲＬＣは、１番目のＡＭ  ＲＬＣ  ＰＤＵ、２番目のＡＭ  ＲＬＣ  ＰＤＵ及び３番目のＡＭ  ＲＬＣ  ＰＤＵを伝送する。
【００４５】
２番目のＡＭ  ＲＬＣ  ＰＤＵが伝送中に損失されると仮定すると、受信側ＲＬＣは、２番目のＡＭ  ＲＬＣ  ＰＤＵを受信することができない。したがって、受信側ＲＬＣは、２番目のＡＭ  ＲＬＣ  ＰＤＵが損失されたと決定し、状態ＰＤＵを通して伝送側に２番目のＡＭ  ＲＬＣ  ＰＤＵが受信されていないことを知らせる。
【００４６】
伝送側は、受信側から受信された前記状態ＰＤＵに応答して、２番目のＡＭ  ＲＬＣ  ＰＤＵを再伝送する。受信側が、再伝送された２番目のＡＭ  ＲＬＣ  ＰＤＵを成功的に受信すると、ＡＭ  ＲＬＣ  ＰＤＵ伝送手順が終了する。
【００４７】
図７に示すように、ＡＭ  ＲＬＣ  ＰＤＵが受信されていないか、伝送側が受信側ＡＭＲＬＣ  ＰＤＵをポーリングするか、または、受信側伝送区間タイマー（Ｔｉｍｅｒ＿Ｓｔａｔｕｓ＿ｐｅｒｉｏｄｉｃ）が満了すると、受信側は、前記状態ＰＤＵを伝送する。伝送区間タイマー（Ｔｉｍｅｒ＿Ｓｔａｔｕｓ＿ｐｅｒｉｏｄｉｃ）は、受信側が状態ＰＤＵを周期的に伝送できるように提供され、前記受信側は、伝送区間タイマー（Ｔｉｍｅｒ＿Ｓｔａｔｕｓ＿ｐｅｒｉｏｄｉｃ）が満了する時ごとに前記状態ＰＤＵを伝送する。
【００４８】
しかし、前記状態ＰＤＵは、データを含まずに、制御情報のみを含む。データを含むＡＭ  ＲＬＣ  ＰＤＵとは異なって、状態ＰＤＵは、実際のデータレートを低下させる。したがって、状態ＰＤＵが頻繁に送られることを防止するために、伝送禁止区間（Ｔｉｍｅｒ＿Ｓｔａｔｕｓ＿Ｐｒｏｈｉｂｉｔ）タイマーなどのタイマーが使用される。
【００４９】
前記伝送禁止区間（Ｔｉｍｅｒ＿Ｓｔａｔｕｓ＿Ｐｒｏｈｉｂｉｔ）タイマーは、受信側が状態ＰＤＵを伝送する時ごとに初期化される。伝送禁止区間（Ｔｉｍｅｒ＿Ｓｔａｔｕｓ＿Ｐｒｏｈｉｂｉｔ）タイマーが活性化される間、受信側には、状態ＰＤＵを伝送することが禁止される。
【００５０】
図８は、第二の例題による既存のＡＭ  ＲＬＣ  ＰＤＵ伝送方法を示すフローチャートである。図８に示すように、受信側は、２番目のＡＭ  ＲＬＣ  ＰＤＵが損失されたと決定し、状態ＰＤＵを伝送する間、伝送区間タイマー（Ｔｉｍｅｒ＿Ｓｔａｔｕｓ＿ｐｅｒｉｏｄｉｃ）及び伝送禁止区間（Ｔｉｍｅｒ＿Ｓｔａｔｕｓ＿Ｐｒｏｈｉｂｉｔ）タイマーを開始する。
【００５１】
５番目のＡＭ  ＲＬＣ  ＰＤＵを受信すると、受信側は、４番目のＡＭ  ＲＬＣ  ＰＤＵが損失されたと決定する。しかし、前記伝送禁止区間（Ｔｉｍｅｒ＿Ｓｔａｔｕｓ＿Ｐｒｏｈｉｂｉｔ）タイマーが満了していないので、受信側は、２番目のＰＤＵが損失されたと決定したにもかかわらず、状態ＰＤＵを伝送しない。
【００５２】
また、図８に示すように、２番目のＡＭ  ＲＬＣ  ＰＤＵの再伝送も失敗する。しかし、受信側は、伝送側から２番目のＡＭ  ＲＬＣ  ＰＤＵが再伝送されたかどうかを決定することができない。再伝送された２番目のＡＭ  ＲＬＣ  ＰＤＵが損失される場合もあり、２番目のＡＭ  ＲＬＣ  ＰＤＵでの損失を指示するために、受信側によって予め送られた状態ＰＤＵが損失されるか、伝送側に伝達されない場合もある。したがって、受信側は、２番目のＡＭ  ＲＬＣ  ＰＤＵの損失を指示するために、伝送側に状態ＰＤＵを再び送る。
【００５３】
伝送禁止区間タイマー（Ｔｉｍｅｒ＿Ｓｔａｔｕｓ＿Ｐｒｏｈｉｂｉｔ）は、状態ＰＤＵを再伝送するための区間を決定する。以前の例題で、伝送禁止区間タイマー（Ｔｉｍｅｒ＿Ｓｔａｔｕｓ＿Ｐｒｏｈｉｂｉｔ）が満了すると、受信側は、再び伝送側に状態ＰＤＵを直ちに伝送する。
【００５４】
伝送禁止区間タイマー（Ｔｉｍｅｒ＿Ｓｔａｔｕｓ＿Ｐｒｏｈｉｂｉｔ）が満了するので、状態ＰＤＵを伝送するＡＭ  ＲＬＣ上に制限はない。前記再伝送された状態ＰＤＵを受信すると、伝送側は、２番目のＡＭ  ＲＬＣ  ＰＤＵを再伝送する。したがって、受信側は、ＡＭ  ＲＬＣの動作では、エラーなしにデータを受信することができる。
【００５５】
図９は、第三の例題による既存のＡＭ  ＲＬＣ  ＰＤＵ伝送方法を示す図である。図９に示すように、伝送禁止区間タイマー（Ｔｉｍｅｒ＿Ｓｔａｔｕｓ＿ｐｒｏｈｏｂｉｔ）がなく、伝送区間タイマー（Ｔｉｍｅｒ＿Ｓｔａｔｕｓ＿ｐｅｒｉｏｄｉｃ）が非常に短い値に設定されていると仮定する。
【００５６】
受信側は、伝送側から再伝送された２番目のＡＭ  ＲＬＣ  ＰＤＵを受信する前に、２番目のＡＭ  ＲＬＣ  ＰＤＵの損失を指示する状態ＰＤＵを再び送る。したがって、伝送側は、前記再伝送された２番目のＡＭ  ＲＬＣ  ＰＤＵも伝送中に損失されたと決定し、２番目のＡＭ  ＲＬＣ  ＰＤＵを再び伝送する。しかし、受信側が２番目のＡＭ  ＲＬＣ  ＰＤＵの最初の再伝送を成功的に受信すると、２番目のＡＭ  ＲＬＣ  ＰＤＵの２番目の再伝送は、不必要に無線資源を浪費する。
【００５７】
その反面、伝送区間タイマー（Ｔｉｍｅｒ＿Ｓｔａｔｕｓ＿ｐｅｒｉｏｄｉｃ）が非常に長い値に設定されると、伝送側が再伝送を試みる前の遅延は増加する。前記増加した遅延によって、ＱｏＳ（ｑｕａｌｉｔｙ  ｏｆ  ｓｅｒｖｉｃｅ）が低下する。
【００５８】
伝送区間タイマー（Ｔｉｍｅｒ＿Ｓｔａｔｕｓ＿ｐｅｒｉｏｄｉｃ）または伝送禁止区間タイマー（Ｔｉｍｅｒ＿Ｓｔａｔｕｓ＿Ｐｒｏｈｉｂｉｔ）の値が、受信側にＡＭ  ＲＬＣ  ＰＤＵを伝送した後に、ＵＥの伝送側が該当する状態応答を受信するのに必要な時間に一層近接するように設定されると、システム性能が強化される。伝送側が受信側からの該当する状態応答を受信するのに必要な時間は、往復時間（ｒｏｕｎｄ−ｔｒｉｐ  ｔｉｍｅ；以下、ＲＴＴと略称する。）という。
【００５９】
既存の方法で、伝送区間タイマー（Ｔｉｍｅｒ＿Ｓｔａｔｕｓ＿ｐｅｒｉｏｄｉｃ）または伝送禁止区間タイマー（Ｔｉｍｅｒ＿ｓｔａｔｕｓ＿Ｐｒｏｈｉｂｉｔ）の値は、ＵＥ及びサービングＲＮＣ（以下、ＳＲＮＣと略称する。）が一番最初にＲＢを設定するときに決定され、前記値は、ＳＲＮＣによって一方的に選択される。しかし、ＳＲＮＣは、ＵＥへのＡＭ  ＲＬＣのデータ伝送のための測定値がないので、ＳＲＮＣは、正確なＲＴＴ値を選択することができない。したがって、伝送区間タイマー（Ｔｉｍｅｒ＿Ｓｔａｔｕｓ＿ｐｅｒｉｏｄｉｃ）または伝送禁止区間タイマー（Ｔｉｍｅｒ＿Ｓｔａｔｕｓ＿Ｐｒｏｈｉｂｉｔ）の値は、正確な値に設定されない。
【００６０】
また、ＵＥが各セルの間で継続的に動き、ＵＥまたは基地局のプロセッサ負荷が変動するので、ＲＴＴ値は変わる。したがって、伝送区間タイマー（Ｔｉｍｅｒ＿Ｓｔａｔｕｓ＿ｐｅｒｉｏｄｉｃ）または伝送禁止区間タイマー（Ｔｉｍｅｒ＿Ｓｔａｔｕｓ＿Ｐｒｏｈｉｂｉｔ）の値を継続的に更新する必要がある。しかし、これら値は、ＳＲＮＣのＲＲＣによって決定されてＵＥのＲＲＣに提供され、ＵＥのＲＲＣは、ＵＥのＲＬＣに使用する値を知らせる。
【００６１】
また、各ＲＲＣの間でのシグナリングは、多くの時間がかかり、タイマー値は、ＲＢの基本的な特性である。したがって、これら値が変化するときごとに、複雑なＲＢ再設定過程が要求される。結果として、伝送区間タイマー（Ｔｉｍｅｒ＿Ｓｔａｔｕｓ＿ｐｅｒｉｏｄｉｃ）または伝送禁止区間タイマー（Ｔｉｍｅｒ＿Ｓｔａｔｕｓ＿Ｐｒｏｈｏｂｉｔ）の不正確な値は、ＲＬＣ性能を低下させ、ＲＲＣを使用する既存のシグナリングは、ＲＬＣ性能も制限する。
【００６２】
したがって、往復時間（ＲＴＴ）を測定し、前記測定されたＲＴＴを使用してタイマーを設定することで、データブロック伝送を一層効率的に制御するためのシステムが必要となる。本発明は、上記のような必要に対して取り扱う。
【発明の開示】
【発明が解決しようとする課題】
【００６３】
本発明の付加的な特徴及び長所は、次の説明を通して展開されるもので、部分的に前記説明によって明白になり、本発明の練習を通して習得される。本発明の目的及び他の長所は、この文書の付加された図面のみならず、記述された説明及び特許請求の範囲で具体的に指摘された構造によって実現・獲得されるだろう。
【００６４】
したがって、本発明は、従来方法の制限及び短所による一つ以上の問題を本質的に回避するデータブロック伝送制御のための方法を指向する。本発明の目的は、ＲＴＴを測定し、前記測定されたＲＴＴによって制御タイマー値を設定することで、データブロック伝送を一層効率的に制御できる各データブロックの伝送を制御するための方法及び装置を提供することにある。
【課題を解決するための手段】
【００６５】
本発明の一様相において、無線通信システムでデータブロック伝送を制御する方法が提供される。前記制御方法は、受信装置に往復時間測定要請を伝送する段階を含み、前記往復時間測定要請は第１識別子を含み、前記往復時間測定要請に応答して、前記受信装置から往復時間測定応答を受信する段階を含み、前記往復時間測定応答は第２識別子を含み、前記往復時間測定要請の伝送時間及び前記往復時間測定応答の受信時間に基づいて往復時間を決定する段階を含み、前記往復時間は、前記往復時間測定要請及び往復時間測定応答を処理するための処理遅延を含む。
【００６６】
前記方法は、前記往復時間によってデータブロック再伝送禁止区間及び／またはデータブロック再伝送区間を決定する段階をさらに含み、前記データブロック再伝送禁止区間は、データブロックを再伝送するためのデータブロック再伝送要請の前記伝送を禁止する区間で、前記データブロック再伝送区間は、データブロックを再伝送するためのデータブロック再伝送要請の前記伝送を開始する区間であることが考慮される。前記方法は、連続的なデータブロック再伝送要請の間の前記時間が少なくとも前記往復時間以上になるように、データブロックの受信が確認されるときまで周期的にデータブロック再伝送要請を伝送する段階をさらに含むことが考慮される。
【００６７】
前記データブロックは、確認モード無線リンク制御プロトコルデータユニットを含むことが考慮される。さらに、前記第１識別子は、前記第２識別子と同一であることが考慮される。前記第１識別子及び前記第２識別子は、シーケンス番号であることが好ましい。
【００６８】
前記方法は、前記第１識別子が前記第２識別子と同一であるときのみに前記往復時間を決定する段階をさらに含む。前記方法は、前記往復時間によって往復時間伝送禁止区間及び／または往復時間伝送区間を決定する段階をさらに含み、前記往復時間伝送禁止区間は、次回の往復時間測定要請の伝送を禁止する区間で、前記往復時間伝送区間は、次回の往復時間測定要請の伝送を開始する区間であることがさらに考慮される。
【００６９】
前記方法は、前記往復時間によって待機区間を決定する段階をさらに含み、前記待機区間は、前記往復時間測定応答が受信されない場合、前記往復時間測定要請の再伝送を開始するための区間であることが考慮される。前記方法は、前記往復時間測定要請が再伝送されるときごとに前記待機区間を増加させる段階をさらに含むことが考慮される。
【００７０】
前記方法は、前記往復時間測定要請が再伝送されるときごとに前記第１識別子の値を増加させる段階をさらに含むことが考慮される。前記方法は、前記往復時間測定要請が再伝送されるときごとに再伝送回数を増加させる段階と、前記往復時間測定応答が受信される前に前記回数が予め決定された値に到達すると、それ以上前記往復時間測定要請を再伝送しない段階とをさらに含むことが考慮される。
【００７１】
前記方法は、前記往復時間測定要請内に前記往復時間測定要請の前記伝送時間を含む段階をさらに含むことが考慮される。前記往復時間測定応答は、前記往復時間測定応答の前記伝送時間をさらに含むことが考慮される。
【００７２】
前記往復時間を決定する段階は、前記往復時間測定応答の前記伝送時間と前記往復時間測定応答の前記受信時間との間の差を計算する段階を含むことが考慮される。さらに、前記往復時間測定要請の前記伝送時間は、システムフレーム番号及び／または連結フレーム番号を含むことが考慮される。
【００７３】
前記方法は、状態ＰＤＵまたはピギーバックされた状態ＰＤＵのうち一つに前記往復時間測定要請を含み、状態ＰＤＵまたはピギーバックされた状態ＰＤＵのうち一つに前記往復時間測定応答を含む段階をさらに含むことが考慮される。さらに、前記往復時間を決定する段階は、複数の往復時間測定要請の前記伝送時間及び複数の往復時間測定応答の前記受信時間に基づいて決定される複数の往復時間の平均を計算する段階を含むことが考慮される。
【００７４】
前記往復時間測定要請を伝送する段階は、複数の往復時間測定要請を連続的に伝送する段階を含み、前記複数の往復時間測定要請は、それぞれ同一の第１識別子を有することが考慮される。前記往復時間測定応答を受信する段階は、複数の往復時間測定応答を連続的に受信する段階を含み、前記複数の往復時間測定応答は、それぞれ同一の第２識別子を有することがさらに考慮される。前記無線通信システムは、前記受信装置からのデータ受信確認を支援することが好ましい。
【００７５】
本発明の他の様相において、無線通信システムでデータブロック伝送を制御する方法が提供される。前記方法は、受信装置にデータブロックを伝送する段階と、前記データブロックの受信が前記受信装置によって確認されない場合、前記受信装置に前記データブロックを再伝送する段階とを含み、前記データブロックの再伝送は、前記受信装置に第１識別子を含む往復時間測定要請を伝送し、前記受信装置から第２識別子を含む往復時間測定応答を受信し、前記往復時間測定要請及び往復時間測定応答の処理における処理遅延を考慮して、前記往復時間測定要請の伝送時間と前記往復時間測定応答の受信時間との間の差を決定することで周期的に更新される往復時間にしたがう。
【００７６】
前記方法は、前記データブロックが受信されていないことを指示する状態語を伝送する前記受信装置をさらに含み、前記往復時間の更新は、前記状態語の伝送後に予め決定された時間区間内に何らの応答も受信されないとき、前記受信装置によって開始されることが考慮される。前記方法は、前記データブロックが受信されていないことを指示する状態語を伝送する前記受信装置をさらに含み、前記往復時間の更新は、予め決定された回数を超える前記状態語の再伝送回数後に何らの応答も受信されないとき、前記受信装置によって開始されることがさらに考慮される。
【００７７】
前記方法は、前記データブロックが受信されていないことを指示する状態語を伝送する前記受信装置をさらに含み、前記データブロックが前記状態語の伝送後に受信されると、前記受信装置によって前記往復時間の更新が開始され、前記データブロックは、予め決定された往復時間より短い時間区間内に受信され、前記時間区間は、前記データブロックの以前伝送と前記データブロックの次の再伝送との間の時間を示すことが考慮される。前記方法は、前記往復時間によってデータブロック再伝送禁止区間及び／またはデータブロック再伝送区間を更新する段階をさらに含み、前記データブロック再伝送禁止区間は、前記データブロックを再伝送するためのデータブロック再伝送要請の前記伝送を禁止する区間で、前記データブロック再伝送区間は、前記データブロックを再伝送するためのデータブロック再伝送要請の前記伝送を開始する区間であることがさらに考慮される。
【００７８】
前記データブロックは、確認モード無線リンク制御プロトコルデータユニットを含むことが考慮される。前記第１識別子及び第２識別子は、シーケンス番号であることがさらに考慮される。
【００７９】
前記往復時間は、前記第１識別子が前記第２識別子と同一であるときのみに更新されることが考慮される。前記往復時間は、往復時間伝送禁止区間及び／または往復時間伝送区間によって周期的に更新され、前記往復時間伝送禁止区間及び往復時間伝送区間は、予め決定された往復時間に基づいたもので、前記往復時間伝送禁止区間は、次回の往復時間更新を禁止するためのもので、前記往復時間伝送区間は、次回の往復時間更新を開始するためのものであることがさらに考慮される。
【００８０】
本発明の他の様相において、無線通信システムでデータブロック伝送を制御する通信装置が提供される。前記装置は、受信装置に往復時間測定要請を含むＲＦ信号を伝送するように調節される伝送ユニットと、前記往復時間測定要請に応答して、前記受信装置からの往復時間測定応答を含むＲＦ信号を受信するように調節される受信ユニットと、前記往復時間測定要請の伝送時間及び前記往復時間測定応答の受信時間に基づいた往復時間を決定するように調節される処理ユニットとを含み、前記往復時間測定要請は第１識別子を含み、前記往復時間測定応答は第２識別子を含み、前記往復時間は、前記往復時間測定要請及び往復時間測定応答を処理するための処理遅延を含む。
【００８１】
前記処理ユニットは、前記往復時間によってデータブロック再伝送禁止区間及び／またはデータブロック再伝送区間を決定するようにさらに調節され、前記データブロック再伝送禁止区間は、データブロックを再伝送するためにデータブロック再伝送要請の前記伝送を禁止する区間で、前記データブロック再伝送区間は、データブロックを再伝送するためにデータブロック再伝送要請の前記伝送を開始する区間であることが考慮される。前記処理ユニットは、連続的なデータブロック再伝送要請の間の前記時間が少なくとも前記往復時間以上になるように、データブロックの受信が確認されるときまでデータブロック再伝送要請を周期的に伝送するために、前記伝送ユニットを制御するようにさらに調節されることが考慮される。
【００８２】
前記処理ユニットは、シーケンス番号として前記第１識別子を設定するようにさらに調節されることが考慮される。前記処理ユニットは、前記第１識別子が前記第２識別子と同一であるときのみに前記往復時間を決定するようにさらに調節されることが考慮される。
【００８３】
前記処理ユニットは、前記往復時間によって往復時間測定禁止区間及び／または往復時間測定伝送区間を決定し、前記往復時間測定禁止区間によって次回の往復時間測定要請が禁止され、前記往復時間測定伝送区間によって次回の往復時間測定要請が開始されるように、前記伝送ユニットを制御するようにさらに調節されることが考慮される。前記処理ユニットは、前記往復時間によって待機区間を決定し、前記往復時間測定応答が受信されないとき、前記待機区間によって前記往復時間測定要請の再伝送が開始されるように、前記伝送ユニットを制御するようにさらに調節されることが考慮される。
【００８４】
前記処理ユニットは、前記往復時間測定要請が再伝送されるときごとに前記待機区間を増加させるようにさらに調節されることが考慮される。前記処理ユニットは、前記往復時間測定要請が再伝送されるときごとに前記第１識別子の値を増加させるようにさらに調節されることが考慮される。
【００８５】
前記処理ユニットは、前記往復時間測定要請が再伝送されるときごとに再伝送回数（Ｃｏｕｎｔ）を増加させ、前記往復時間測定応答が受信される前に前記回数が予め決定された値に到達すると、前記往復時間測定要請がそれ以上再伝送されないように、前記伝送ユニットを制御するようにさらに調節されることが考慮される。前記処理ユニットは、前記往復時間測定要請内で前記往復時間測定要請の前記伝送時間を含むようにさらに調節されることが考慮される。
【００８６】
前記処理ユニットは、前記往復時間測定応答内の伝送時間と前記往復時間測定応答の前記受信時間との間の差を計算することで、前記往復時間を決定するようにさらに調節されることが考慮される。前記処理ユニットは、状態ＰＤＵまたはピギーバックされた状態ＰＤＵ内に前記往復時間測定要請を含み、状態ＰＤＵまたはピギーバックされた状態ＰＤＵから前記往復時間測定応答を抽出するようにさらに調節されることが考慮される。
【００８７】
前記処理ユニットは、複数の往復時間測定要請の前記伝送時間及び複数の往復時間測定応答の前記受信時間に基づいて決定された複数の往復時間の平均を計算することで、前記往復時間を決定するようにさらに調節されることが考慮される。前記処理ユニットは、複数の往復時間測定要請を連続的に伝送するために、前記伝送ユニットを制御するようにさらに調節され、前記複数の往復時間測定要請は、それぞれ同一の第１識別子を有することがさらに考慮される。
【００８８】
前記処理ユニットは、連続的に受信された複数の往復時間測定応答を処理するようにさらに調節され、前記複数の往復時間測定応答は、それぞれ同一の第２識別子を有することが考慮される。前記無線通信システムは、前記受信装置からのデータ受信確認を支援することがさらに考慮される。
【００８９】
本発明の他の様相において、無線通信システムでデータブロック伝送を制御する方法が提供される。前記方法は、伝送装置から往復時間測定要請を受信し、前記往復時間測定要請に応答して受信装置に往復時間測定応答を伝送することを含み、前記往復時間測定要請は第１識別子を含み、前記往復時間測定応答は第２識別子を含む。
【００９０】
前記データブロックは、確認モード無線リンク制御プロトコルデータユニットを含むことが考慮される。前記第１識別子は、前記第２識別子と同一であることがさらに考慮される。前記第１識別子及び第２識別子は、シーケンス番号であることが好ましい。
【００９１】
前記往復時間測定要請は、前記往復時間測定要請の前記伝送時間をさらに含むことが考慮される。前記往復時間測定要請の前記伝送時間は、システムフレーム番号及び／または連結フレーム番号を含むことがさらに考慮される。
【００９２】
前記方法は、前記往復時間測定応答内に前記往復時間測定応答の前記伝送時間を含む段階をさらに含むことが考慮される。前記往復時間測定要請は、状態ＰＤＵまたはピギーバックされた状態ＰＤＵ内に含まれ、前記往復時間測定応答は、状態ＰＤＵまたはピギーバックされた状態ＰＤＵ内に含まれることがさらに考慮される。
【００９３】
前記往復時間測定要請を受信する段階は、複数の往復時間測定要請を連続的に受信する段階を含み、前記複数の往復時間測定要請は、それぞれ同一の第１識別子を有することが考慮される。前記往復時間測定応答を伝送する段階は、複数の往復時間測定応答を連続的に伝送する段階を含み、前記複数の往復時間測定応答は、それぞれ同一の第２識別子を有することがさらに考慮される。前記無線通信システムは、前記受信装置からのデータ受信確認を支援することが好ましい。
【００９４】
本発明の他の様相では、無線通信システムでデータブロック伝送を制御する通信装置が提供される。前記装置は、伝送装置から往復時間測定要請を含むＲＦ信号を受信するように調節される受信ユニットと、前記往復時間測定要請に応答して、前記伝送装置に往復時間測定応答を含むＲＦ信号を伝送するように調節される伝送ユニットとを含み、前記往復時間測定要請は第１識別子を含み、前記往復時間測定応答は第２識別子を含む。
【００９５】
前記処理ユニットは、連続的なデータブロック再伝送要請の間の前記時間が少なくとも予め決定された往復時間以上になるように、データブロックの受信が確認されるときまでデータブロック再伝送要請を周期的に伝送するために、前記伝送ユニットを制御するようにさらに調節されることが考慮される。前記処理ユニットは、シーケンス番号として前記第２識別子を設定するようにさらに調節されることが考慮される。
【００９６】
前記処理ユニットは、前記往復時間測定応答内で前記往復時間測定応答の前記伝送時間を含むようにさらに調節されることが考慮される。前記処理ユニットは、状態ＰＤＵまたはピギーバックされた状態ＰＤＵから前記往復時間測定要請を抽出し、状態ＰＤＵまたはピギーバックされた状態ＰＤＵのうち一つに前記往復時間測定応答を含むようにさらに調節されることが考慮される。
【００９７】
前記処理ユニットは、複数の往復時間測定応答を連続的に伝送するために前記伝送ユニットを制御するようにさらに調節され、前記複数の往復時間測定応答は、それぞれ同一の第２識別子を有することが考慮される。前記処理ユニットは、連続的に受信された複数の往復時間測定要請を処理するようにさらに調節され、前記複数の往復時間測定要請は、それぞれ同一の第１識別子を有することがさらに考慮される。前記無線通信システムは、前記受信装置からのデータ受信確認を支援することが好ましい。
【００９８】
本発明の付加的な特徴及び長所は、下記の説明を通して展開されるもので、部分的に前記説明を通して明白になり、本発明の練習を通して習得されるだろう。上述した本発明に対する一般的な説明と以下の詳細な説明は、全て例示的及び説明的なもので、請求されたような本発明に対する追加的な説明が提供される。
【００９９】
本発明の実施例は、付加された図面を参照する各実施例に対する下記の詳細な説明を通して本技術の当業者に明白になり、前記発明は、公開された如何なる特別な実施例によっても制限されない。
【発明を実施するための最良の形態】
【０１００】
本発明は、ＲＴＴを測定し、その測定されたＲＴＴによって制御タイマー値を設定することで、データブロック伝送を一層効率的に制御できる各データブロックの伝送を制御するための装置及び方法に関するものである。本発明は、移動通信装置に関して説明されるが、往復時間を測定し、その測定された時間による制御タイマー値を設定することで、各データブロックの伝送を一層効率的に制御することを望む場合に使用される。
【０１０１】
以下、図面に示した例題である本発明の好適な実施例に対して詳細に説明する。図面における同一の参照番号は、同一部分または対応部分を示すために使用される。
【０１０２】
本発明は、ＡＭ  ＲＬＣエンティティが、最適の伝送区間タイマー（ｔｉｍｅｒ＿ｓｔａｔｕｓ＿ｐｅｒｉｏｄｉｃ）値及び最適の伝送禁止区間タイマー（Ｔｉｍｅｒ＿Ｓｔａｔｕｓ＿ｐｒｏｈｉｂｉｔ）値と一緒に動作するようにし、それを通してデータレートを増加させることでサービスを一層効率的に提供する。本発明は、ＲＬＣエンティティが往復時間（ＲＴＴ）値を測定し、その測定されたＲＴＴ値を用いて伝送区間タイマー（ｔｉｍｅｒ＿ｓｔａｔｕｓ＿ｐｅｒｉｏｄｉｃ）値及び伝送禁止区間タイマー（ｔｉｍｅｒ＿ｓｔａｔｕｓ＿ｐｒｏｈｉｂｉｔ）値を設定できるようにする方法を提供する。
【０１０３】
ＡＭ  ＲＮＣは、ＲＴＴ値を測定するために状態ＰＤＵまたはピギーバックされた状態ＰＤＵを使用する。具体的には、前記ＲＴＴを測定しようとするＡＭ  ＲＬＣは、相手側のＡＭ  ＲＬＣにＲＴＴ測定を要求するメッセージを送る。前記メッセージを受信したＡＭ  ＲＬＣエンティティは、該当する応答を伝送する。
【０１０４】
前記要請ＡＭ  ＲＬＣは、前記ＲＴＴ測定要請メッセージを送るために、状態ＰＤＵまたはピギーバックされた状態ＰＤＵを使用する。具体的に、前記ＡＭ  ＲＬＣは、伝送された状態ＰＤＵまたはピギーバックされた状態ＰＤＵ内に前記ＲＴＴ測定要請（ＳＵＦＩ）を含む。
【０１０５】
相手側のＡＭ  ＲＬＣは、ＲＴＴ測定要請メッセージに応答してＲＴＴ測定応答メッセージを伝送するために、状態ＰＤＵまたはピギーバックされた状態ＰＤＵを使用する。具体的に、ＡＭ  ＲＬＣは、伝送された状態ＰＤＵまたはピギーバックされた状態ＰＤＵ内にＲＴＴ測定応答ＳＵＦＩを含む。
【０１０６】
ＲＴＴ測定要請または応答メッセージが無線領域を通して伝送されると、これが無線領域で損失される。したがって、より正確なＲＴＴ測定のためには、測定側が前記ＲＴＴ測定応答メッセージを確認できるように、ＲＴＴ測定要請を含むＡＭ  ＲＬＣ  ＰＤＵにシーケンス番号が付着される。
【０１０７】
前記要請ＡＭ  ＲＬＣは、各ＲＴＴ測定要請メッセージにシーケンス番号を付着する。前記ＲＴＴ測定応答メッセージを受信する場合、ＡＭ  ＲＬＣによって送られたシーケンス番号と同一の値が受信されると、前記要請するＡＭ  ＲＬＣは、前記ＲＴＴ測定応答メッセージを処理する。
【０１０８】
ＡＭ  ＲＬＣによって送られたシーケンス番号と異なる値を含むＲＴＴ測定応答メッセージが受信されると、前記要請するＡＭ  ＲＬＣは、前記メッセージを消すか、前記メッセージを処理しない。
【０１０９】
前記要請ＡＭ  ＲＬＣは、ＲＴＴ測定要請メッセージが伝送される時間を記録する。ＲＴＴ測定要請メッセージが受信されるときごとに、前記測定ＡＭ  ＲＬＣは、ＲＴＴ測定要請メッセージ内に含まれたシーケンス番号を確認する。ＲＴＴ測定応答メッセージを送ると、前記測定ＡＭ  ＲＬＣは、前記ＲＴＴ測定応答メッセージ内にＲＴＴ要請メッセージからのシーケンス番号と同一の値を含む。
【０１１０】
実際のＲＴＴ値を測定するために、前記要請ＡＭ  ＲＬＣは、ＲＴＴ測定要請メッセージを送った後、ＲＴＴ測定応答メッセージを待つ。前記ＲＴＴ測定応答メッセージを受信すると、前記要請ＡＭ  ＲＬＣは、その受信されたＲＴＴ測定応答メッセージ内に含まれたシーケンス番号を確認する。
【０１１１】
前記シーケンス番号がＲＴＴ測定要請メッセージ内のＡＭ  ＲＬＣによって予め送られたシーケンス番号と同一であると、前記ＡＭ  ＲＬＣは、前記ＲＴＴ測定応答メッセージが受信された時間と、前記ＲＴＴ測定要請メッセージが送られた時間との間の差を決定する。その後、前記ＡＭ  ＲＬＣは、前記決定された差を、測定されたＲＴＴ値として使用する。
【０１１２】
前記要請ＡＭ  ＲＬＣは、測定の信頼性を増加させ、測定上の多様な要因を除外させるために、ＲＴＴ測定過程を複数回施行する。ＡＭ  ＲＬＣは、実際のＲＴＴ測定値として使用するために測定されたＲＴＴ値の平均を決定する。平均値を決定するとき、ＵＥは、基地局によって指示された多数のサンプルを使用することができる。
【０１１３】
その後、前記要請ＡＭ  ＲＬＣは、前記測定されたＲＴＴを伝送禁止区間タイマー（Ｔｉｍｅｒ＿ｓｔａｔｕｓ＿Ｐｒｏｈｉｂｉｔ）値または伝送区間タイマー（Ｔｉｍｅｒ＿Ｓｔａｔｕｓ＿ｐｅｒｉｏｄｉｃ）値として設定することができる。また、これと別途に、前記要請ＡＭ  ＲＬＣは、基地局によって指示されたパラメータによってその測定されたＲＴＴを処理することで、伝送禁止区間タイマー（Ｔｉｍｅｒ＿ｓｔａｔｕｓ＿Ｐｒｏｈｉｂｉｔ）値または伝送区間タイマー（Ｔｉｍｅｒ＿Ｓｔａｔｕｓ＿ｐｅｒｉｏｄｉｃ）値を設定することができる。
【０１１４】
図１０は、本発明の一実施例に係るＲＴＴ測定及び設定方法のフローチャートである。図１０に示すように、伝送側がＲＴＴ測定を開始すると（Ｓ１０１）、ＲＴＴ測定要請メッセージが発生し、シーケンス番号は、前記メッセージ内に含まれて伝送側メモリに記録される（Ｓ１０２）。前記発生したＲＴＴ測定要請メッセージは受信側に伝送され、ＲＴＴ測定要請メッセージが伝送される時間は伝送側メモリに記録される（Ｓ１０３）。
【０１１５】
前記伝送側によって伝送されたＲＴＴ測定要請メッセージを受信すると（Ｓ１０４）、受信側は、ＲＴＴ測定応答メッセージを伝送側に伝送する（Ｓ１０６）。前記ＲＴＴ測定要請メッセージを伝送した後、伝送側は、ＲＴＴ測定応答メッセージを待つ（Ｓ１０７）。前記ＲＴＴ測定応答メッセージを受信すると、伝送側は、ＲＴＴ測定応答メッセージの受信時間を伝送側メモリに記録する（Ｓ１０８）。
【０１１６】
伝送側は、その受信されたＲＴＴ測定応答メッセージ内に含まれたシーケンス番号を確認する（Ｓ１０９）。ＲＴＴ測定応答メッセージ内の前記シーケンス番号が、伝送されたＲＴＴ測定要請メッセージ内のシーケンス番号と同一であると、前記ＲＴＴは、その記録された伝送時間及び受信時間を用いて計算される（Ｓ１１０）。
【０１１７】
しかし、正確なＲＴＴ測定のためには、前記受信側ＡＭ  ＲＬＣは、ＲＴＴ測定要請を受信するとＲＴＴ測定応答を直ちに送るべきである。これを達成するために、ＲＴＴ測定応答メッセージは、伝送禁止区間タイマー（Ｔｉｍｅｒ＿ｓｔａｔｕｓ＿Ｐｒｏｈｉｂｉｔ）などの以前の設定制限なしに直ちに伝送される。また、一層効果的な測定のために、前記伝送側ＡＭ  ＲＬＣは、ＲＴＴ測定要請を送ることに関しては、以前の設定制限から自由である。
【０１１８】
図１１は、本発明の一実施例に係るＲＴＴ測定応答ＳＵＦＩを示す図である。図１０及び図１１に示すように、‘タイプ（ＴＹＰＥ）’は、多様なタイプのＳＵＦＩを識別するための識別子で、‘シーケンス番号’は、ＲＴＴ測定要請ＳＵＦＩに該当するＲＴＴ測定応答ＳＵＦＩを指示する。
【０１１９】
状態ＰＤＵとは異なって、ＡＭ  ＲＬＣ  ＰＤＵのパッディングに取って代わるピギーバックされた状態ＰＤＵには、付加的なオーバーヘッドがない。したがって、そのＲＴＴ測定要請メッセージによるオーバーヘッドを減少させるために、ＲＴＴ測定要請メッセージは、ピギーバックされた状態ＰＤＵ内のみに含まれる。
【０１２０】
しかし、ＲＴＴ測定が非常に頻繁に行われると、システム性能に影響を及ぼすようになる。システム性能への影響を減少させるために、ネットワークは、ＡＭエンティティによって行われたＲＴＴ測定を制限することができる。ＲＴＴ測定を制限するためには、ＲＴＴ測定禁止区間タイマーが使用される。具体的に、ＲＴＴ測定要請が送られた後またはＲＴＴ測定過程が完了した後、ＡＭエンティティはＲＴＴ測定禁止区間タイマーを開始する。前記ＲＴＴ測定禁止区間タイマーが満了する前まで、ＵＥは新しいＲＴＴ測定過程を開始することができない。
【０１２１】
ＲＴＴ測定過程の正確性を増加させるために、ＡＭエンティティは、ＲＴＴ測定要請メッセージ及びＲＴＴ測定応答メッセージを連続的に送ることができる。このような方式で、無線領域で各メッセージを失う確率が低くなり、連続的に送られたメッセージのシーケンス番号もそれぞれ同一である。連続的に送られたメッセージの数は、ネットワークによって定められるか、ＵＥに指示される。
【０１２２】
ＡＭエンティティが周期的にＲＴＴ測定を行うと、実際のＲＴＴ値と、ＵＥによって決定されたＲＴＴ値との差が増加することを防止することができる。周期的にＲＴＴ測定を行うために、ＲＴＴ測定周期タイマー（ｐｅｒｉｏｄｉｃ  ｔｉｍｅｒ）が定義される。ネットワークは、ＵＥにＲＴＴ測定禁止区間タイマーの値及びＲＴＴ測定周期タイマー（ｐｅｒｉｏｄｉｃ  ｔｉｍｅｒ）の値を知らせることができる。
【０１２３】
ＡＭエンティティは、ＲＴＴ測定周期タイマー（ｐｅｒｉｏｄｉｃ  ｔｉｍｅｒ）を開始する。ＲＴＴ測定周期タイマー（ｐｅｒｉｏｄｉｃ  ｔｉｍｅｒ）が満了するときごとに、ＡＭエンティティはＲＴＴ測定過程を開始する。ＲＴＴ測定過程が完了するときごとに、ＡＭエンティティは、そのＲＴＴ測定周期タイマー（ｐｅｒｉｏｄｉｃ  ｔｉｍｅｒ）を再び活性化する。
【０１２４】
前記ＲＴＴ測定要請メッセージまたはＲＴＴ測定応答メッセージは無線区間で損失されることもあるので、ＲＴＴ測定応答メッセージは、ＲＴＴ測定を要請した側に到着しない場合もある。ＲＴＴ測定待機タイマーは、ＲＴＴ測定要請メッセージを送った側がＲＴＴ測定応答メッセージを漠然と待つことを防止するために定義される。
【０１２５】
ＲＴＴ測定応答メッセージを伝送した後、ＡＭエンティティは、ＲＴＴ測定待機タイマーを活性化させる。ＲＴＴ測定待機タイマーが満了する前にＲＴＴ測定応答メッセージが受信されない場合、ＡＭエンティティはＲＴＴ測定要請メッセージを再び送る。この再伝送過程は、無制限に継続されない。再伝送過程を制限するために、ＲＴＴ測定要請再伝送の回数制限が設定される。
【０１２６】
各再伝送の曖昧さを除去するために、シーケンス番号は、ＲＴＴ測定要請が再伝送されるときごとに変わり得る。前記シーケンス番号は、ＲＴＴ測定要請が再伝送されるときごとに単純に１ずつ増加する。効率を上昇させるために、ＲＴＴ測定要請が再伝送されるときごとに、ＲＴＴ測定待機タイマーの値は、下位階層の変化に対処するように増加する。
【０１２７】
ＡＭ  ＰＤＵがＡＭエンティティによって受信されない場合、ＡＭエンティティは状態ＰＤＵを伝送する。該当する応答が一定の持続時間内で受信されないか、特定のＡＭ  ＰＤＵが受信されないことを指示する状態ＰＤＵの伝送回数が、予め決定された値を超える場合、ＡＭエンティティはＲＴＴ測定過程を施行する。また、状態ＰＤＵ内で受信されていないことを指示するＡＭ  ＰＤＵが、予め測定されたＲＴＴ値より短い時間または伝送禁止区間タイマー（Ｔｉｍｅｒ＿ｓｔａｔｕｓ＿Ｐｒｏｈｉｂｉｔ）値より短い時間内に到着する場合、ＡＭエンティティはＲＴＴ測定過程を施行する。
【０１２８】
また、ＲＴＴ値が更新されるときごとに、ＡＭエンティティは、関連したタイマー値を更新する。ＡＭエンティティは、ポーリングタイマー（Ｔｉｍｅｒ＿ｐｏｌｌ）またはポーリング禁止区間タイマー（Ｔｉｍｅｒ＿Ｐｏｌｌ＿ｐｒｏｈｉｂｉｔ）などのポーリングと関連した値を適切に設定することができる。
【０１２９】
ＡＭエンティティは、ＲＴＴ測定要請メッセージを伝送するとき、メッセージ伝送の時間も含むことができる。このような方式で、ＲＴＴ測定要請メッセージ内に含まれた時間は、両側のＡＭエンティティによって決定される時間である。また、含まれる時間は、一つのセル内に位置した全てのＵＥに適用される時間基準として、システムフレーム番号（Ｓｙｓｔｅｍ  Ｆｒａｍｅ  Ｎｕｍｂｅｒ；以下、ＳＦＮと略称する。）であるか、一つのＵＥと一つのＳＲＮＣによって共通的に管理される連結フレーム番号（Ｃｏｎｎｅｃｔｉｏｎ  Ｆｒａｍｅ  Ｎｕｍｂｅｒ；以下、ＣＦＮと略称する。）である。
【０１３０】
したがって、ＲＴＴ測定要請メッセージを受信した一側は、前記メッセージ内に含まれた時間と、前記メッセージが受信された時間との間の差を用いて、何れか一方向への伝送時間を獲得することができる。これと同様に、ＲＴＴ測定応答メッセージの伝送時間が前記応答メッセージ内に含まれると、ＲＴＴ測定応答メッセージを受信した側は、前記メッセージが受信された時間と、前記メッセージ内に含まれた時間との間の差を用いて、ＲＴＴの一部分を計算することができる。その後、前記ＲＴＴは、その測定された時間値に２を掛けることで知ることができる。
【０１３１】
したがって、本発明は、ＲＴＴ値を測定して制御タイマーを設定し、これを通して各データブロックを一層効率的に伝送する。
【０１３２】
本技術分野の熟練した者にとって、本発明の本質や範囲を逸脱しない範囲で本発明に対する多様な修正及び変動がなされることは明白である。したがって、本発明は、添付された特許請求の範囲及びその均等範囲に符合する限り、上記のような修正と変動を含むものである。
【０１３３】
本発明は、その本質または必須的な特徴から逸脱せずに多様な形態で具現されるので、上述した各実施例は、互いに異なった形態で特定されない限り、上述した如何なる詳細な説明によっても制限されなく、付加された特許請求の範囲内に定義されたように、その本質及び範囲内で広範囲に解析されるべきである。そのため、前記特許請求の範囲の境界内にある全ての変更及び修正またはそれら境界の均等物は、付加された特許請求の範囲に含まれるものである。
【０１３４】
上述した実施例及び長所は、例示的なものに過ぎなく、本発明を制限するものとしては解析されない。本発明は、他のタイプの装置にも直ちに適用される。本発明の説明は、例示的なもので、前記特許請求の範囲を制限しない。多くの他の方法、変更及び変動は、前記技術分野の当業者にとって明白なものである。前記特許請求の範囲の機能式請求項（ｍｅａｎ―ｐｌｕｓ−ｆｕｎｃｔｉｏｎ  ｃｌａｕｓｅｓ）は、引用された機能を行うために、ここで説明された構造を含み、構造的な均等物のみならず、均等的な構造も含む。
【産業上の利用可能性】
【０１３５】
本発明は、移動通信システムに適用される。
【図面の簡単な説明】
【０１３６】
【図１】汎用移動通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ；ＵＭＴＳ）のネットワーク構造を示す図である。
【図２】ＵＭＴＳ無線プロトコルの構造図である。
【図３】ＡＭ  ＲＬＣ  ＰＤＵの構造図である。
【図４】状態ＰＤＵの構造図である。
【図５】ピギーバックされた状態ＰＤＵの構造図である。
【図６】リセットＡＣＫ  ＰＤＵの構造図である。
【図７】既存のＡＭ  ＲＬＣ  ＰＤＵ伝送方法の第一の例題のフローチャートである。
【図８】既存のＡＭ  ＲＬＣ  ＰＤＵ伝送方法の第二の例題である。
【図９】既存のＡＭ  ＲＬＣ  ＰＤＵ伝送方法の第三の例題である。
【図１０】本発明の一実施例に係るＲＴＴ測定及び設定方法のフローチャートである。
【図１１】本発明の一実施例に係るＲＴＴ測定応答（ＳＵＦＩ）を示す図である。
【図１】
2008536381.tif 000003
【図２】
2008536381.tif 000004
【図３】
2008536381.tif 000005
【図４】
2008536381.tif 000006
【図５】
2008536381.tif 000007
【図６】
2008536381.tif 000008
【図７】
2008536381.tif 000009
【図８】
2008536381.tif 000010
【図９】
2008536381.tif 000011
【図１０】
2008536381.tif 000012
【図１１】
2008536381.tif 000013
【国際調査報告】
2008536381.tif 000014
2008536381.tif 000015